(57)【要約】【課題】ピットの深さの如何に拘わらず、タラップの重量を取扱いが容易な重量に設定することができるエレベータのピット入出装置の提供。【解決手段】エレベータの昇降路のピット１内に配置され、乗かご６の通常走行時には、折畳まれた状態に保持され、ピット１への入出時には、広げられ、立て掛けられて用いられるタラップ３を備えると共に、ピット１の深さの如何に拘わらず、乗場床４から一定の深さの昇降路内の位置に、広げられたタラップ３を支持可能な支持台５を備え、乗かご６の通常走行時には、乗場床４と支持台５との間の領域にタラップ３を折畳んで保持させ、ピット１への入出時には、広げられたタラップ３を、乗場側に立て掛け、下端が支持台５に係止されるように配置した。【選択図】図４
2006082935.tif 000002
【特許請求の範囲】
【請求項１】
エレベータの昇降路のピット内に配置され、
乗かごの通常走行時には、折畳まれた状態に保持され、上記ピットへの入出時には、広げられ、立て掛けられて用いられるタラップを備えたエレベータのピット入出装置において、
上記ピットの深さの如何に拘わらず、乗場床から一定の深さの昇降路内の位置に、広げられた上記タラップを支持可能な支持台を備え、
乗かごの通常走行時には、上記乗場床と上記支持台との間の領域に上記タラップを折畳んで保持させ、上記ピットへの入出時には、広げられた上記タラップを、乗場側に立て掛け、下端が上記支持台に係止されるように配置したことを特徴とするエレベータのピット入出装置。
【請求項２】
上記請求項１記載の発明において、
広げられた上記タラップを、上記乗場の敷居の溝に係止させる係止具を備えたことを特徴とするエレベータのピット入出装置。
【請求項３】
上記請求項１記載の発明において、
折畳まれた上記タラップを、上記乗場の敷居の投影面積内の領域であって、上記敷居と上記支持台との間に位置する領域において保持させる保持具を備えたことを特徴とするエレベータのピット入出装置。
【請求項４】
上記請求項１記載の発明において、
上記一定の深さの昇降路内の位置を、上記ピット内に配置された緩衝器が乗かごの落下衝突によって全圧縮した際に、上記支持台と上記乗かごの下部に設けられる機器とが干渉しない位置に設定したことを特徴とするエレベータのピット入出装置。
【請求項５】
上記請求項１〜４のいずれか１項記載の発明において、
上記ピットの深さの如何に拘わらず、上記タラップの全長を、一定の長さに設定したことを特徴とするエレベータのピット入出装置。
【発明の詳細な説明】
【技術分野】
【０００１】
本発明は、ピットへの入出時に折畳まれていた状態から広げられ、立て掛けられて用いられるタラップを備えたピット入出装置に関する。
【背景技術】
【０００２】
この種の従来技術として、特許文献１に示されるものがある。この特許文献１には、エレベータの昇降路のピット内に配置され、乗かごの通常走行時には、折畳まれた状態に保持され、ピットへの入出時には、広げられ、立て掛けられて用いられる梯子すなわちタラップと、昇降路のピット床に設けられ、折畳まれた梯子を保持する保持台と、折畳まれた梯子を乗場側から引き上げるために設けられる可撓条体とを備えた構成が開示されている。
【０００３】
この従来技術は、乗かごの通常走行時には、梯子は折畳まれた状態に保持され、昇降路のピットへの入出時には、乗場側から可撓条体を引き上げることによって折畳まれていた梯子が広げられ、この広げられた梯子が乗場側に立て掛けられ、この梯子を利用してピットに降り、あるいはピットから乗場に上がることができるようになっている。ピット内では昇降路内に設置されている機器の点検、あるいは、乗かごの下部に備えられている機器の点検などが行なわれる。
【特許文献１】特開２００３−２５２５４３公報
【発明の開示】
【発明が解決しようとする課題】
【０００４】
ところで、建屋の大きさに応じて昇降路の長さは種々異なるものであり、これに伴って昇降路のピットの深さも異なった深さとなっている。上記従来技術は、ピットの深さが深くなった場合に問題がある。すなわち、従来技術では、ピットの深さが深くなるにつれて梯子の全長も長くなることから、この梯子の重量が重くなってしまう。これにより、折畳まれている梯子を広げて乗場側に立て掛ける作業、及びピットから出て梯子を折畳む作業が煩雑になる懸念がある。また、作業員は、重量の重い梯子の引き上げ、立て掛け、及び梯子の折畳みを、乗場側から身を乗り出すようにして行なわなければらなず、したがって慎重な作業が要求され、作業に時間がかかる問題もある。
【０００５】
なお、従来技術では、ピットの深さに合わせた梯子すなわちタラップを、長さが異なる昇降路毎に製作しなければならず、このために梯子の製作費が高くなりやすい。
【０００６】
本発明は、上記従来技術における実状からなされたもので、その目的は、ピットの深さの如何に拘わらず、タラップの重量を取扱いが容易な重量に設定することができるエレベータのピット入出装置を提供するにある。
【課題を解決するための手段】
【０００７】
上記目的を達成するために、本発明は、エレベータの昇降路のピット内に配置され、乗かごの通常走行時には、折畳まれた状態に保持され、上記ピットへの入出時には、広げられ、立て掛けられて用いられるタラップを備えたエレベータのピット入出装置において、上記ピットの深さの如何に拘わらず、乗場床から一定の深さの昇降路内の位置に、広げられた上記タラップを支持可能な支持台を備え、乗かごの通常走行時には、上記乗場床と上記支持台との間の領域に上記タラップを折畳んで保持させ、上記ピットへの入出時には、広げられた上記タラップを、乗場側に立て掛け、下端が上記支持台に係止されるように配置したことを特徴としている。
【０００８】
このように構成した本発明は、どのようなピットの深さであっても、乗場床から一定の深さの昇降路内の位置に支持台を設けることにより、乗場床と支持台との間において折畳まれるタラップの重量を一定の重量に設定することが可能となる。すなわち、ピットの深さの如何に拘わらず、取扱いが容易な一定の重量に設定し得るタラップを収容可能な領域を形成するように、支持台を乗場床から一定の深さの昇降路内の位置に設置することにより、タラップは取扱いが容易な軽さとなり、乗場床から身を乗り出すようにして折畳まれたタラップを引き上げて、広げて、下端を支持台に係止させ、乗場側に立て掛ける作業、及び、広げられたタラップを折畳んで、乗場床と支持台との間の領域に保持させる作業を容易に行なうことができる。
【０００９】
また本発明は、上記発明において、広げられた上記タラップを、上記乗場の敷居の溝に係止させる係止具を備えたことを特徴としている。
【００１０】
また本発明は、上記発明において、折畳まれた上記タラップを、上記乗場の敷居の投影面積内の領域であって、上記敷居と上記支持台との間に位置する領域において保持させる保持具を備えたことを特徴としている。
【００１１】
また本発明は、上記発明において、上記一定の深さの昇降路内の位置を、上記ピット内に配置された緩衝器が乗かごの落下衝突によって全圧縮した際に、上記支持台と上記乗かごの下部に設けられる機器とが干渉しない位置に設定したことを特徴としている。
【００１２】
また本発明は、上記発明において、上記ピットの深さの如何に拘わらず、上記タラップの全長を、一定の長さに設定したことを特徴としている。
【発明の効果】
【００１３】
本発明は、タラップの重量を考慮して支持台を、乗場床から一定の深さの昇降路内の位置に設けることにより、ピットの深さの如何に拘わらず、タラップの重量を取扱いが容易な重量に設定することができ、これにより、昇降路の長さが比較的長い場合でも、タラップを広げてピット内に入る作業、及びピットから出てタラップを折畳む作業が、昇降路の長さが比較的短い場合と同様に簡単になり、従来に比べて、タラップを取り扱う作業時の優れた作業性と作業の安全性を確保できる。
【００１４】
また、ピットの深さの如何に拘わらず、タラップの全長を一定の長さに設定した本発明によれば、タラップの規格の統一を実現でき、これによってタラップの製作費を従来に比べて安くすることができる。
【発明を実施するための最良の形態】
【００１５】
以下、本発明に係るエレベータのピット入出装置の一実施形態を図に基いて説明する。
【００１６】
図１〜図５は本発明に係るエレベータのピット入出装置の一実施形態を示す説明図で、図１はタラップが折畳まれた状態を示す側面図、図２は本実施形態が配置された昇降路のピットに、乗かごが下降してきた状態を示す側面図、図３は本実施形態が配置された昇降路のピットに備えられた緩衝器に乗かごが衝突し、緩衝器が全圧縮したときの状態を示す側面図、図４はタラップが広げられ、立て掛けられた状態を示す側面図、図５は図４の平面図である。
【００１７】
本実施形態のエレベータのピット入出装置は、エレベータの昇降路のピット１内に配置され、乗かご６の通常走行時には、図１に示すように折畳まれた状態に保持され、ピット１への入出時には、図４に示すように広げられ、立て掛けられて用いられるタラップ３を備えている。また特に、図４等に示すように、ピット１の深さの如何に拘わらず、乗り場床１から一定の深さの昇降路内の位置に、広げられたタラップ３を支持可能な支持台５を備えている。この支持台５は、昇降路の乗場側の壁１ｂに固定してある。
【００１８】
タラップ３は、図４に示すように例えば２つの分割部３ａ，３ｂから成っており、これらの分割部３ａ，３ｂはヒンジによって連結され、図１に示すように折畳むことができ、また、図４に示すように広げることができるようになっている。
【００１９】
タラップ３の全長は、ピット１の深さの如何に拘わらず、すなわち、図示しない他の昇降路におけるピット１の深さが、本実施形態の昇降路のピット１の深さよりも例えば深い場合でも、同じ全長に、つまり一定の長さに設定してある。
【００２０】
また、このタラップ３は、図４，５に示すように、乗場側に立て掛けられたタラップ３を、乗場の敷居４ａの溝に係止させる係止具３１ｂを備えている。
【００２１】
さらに、図１〜４に示すように、折畳まれたタラップ３を、乗場の敷居４ａの投影面積内の領域であって、敷居４ａと支持台５との間に位置する領域において保持させる保持具２を備えており、この保持具２は昇降路の乗場側の壁１ｂに固定してある。
【００２２】
上述した支持台５が備えられる位置、すなわち乗場床４から一定の深さの昇降路内の位置は、例えば図３に示すように、ピット１内に配置された緩衝器７が乗かご６の落下衝突によって全圧縮した際に、支持台５と乗かご６の下部に設けられる機器６ａとが干渉しない位置に設定してある。
【００２３】
また、上述したタラップ３の場合と同様に、上述の乗場床４から一定の深さの昇降路内の位置は、ピット１の深さの如何に拘わらず、すなわち、図示しない他の昇降路におけるピット１の深さが、本実施形態の昇降路のピット１の深さよりも例えば深い場合でも、同じ位置に設定してある。
【００２４】
上述のように構成される本実施形態は、乗かご６の通常走行時は、図１に示すように、タラップ３が折畳まれた状態で昇降路の壁１ｂに固定した保持具２で保持され、敷居４ａの下方に、すなわち敷居４ａと支持台５との間の領域に収納される。したがって、乗かご６の走行に何ら支障を生じることがない。
【００２５】
また、ピット１内での作業のために乗場床４からピット１に入る際には、乗場床４にいる作業員によって、図１に示すように折畳まれるタラップ３が引き上げられ、例えば乗場床４においてタラップ３が広げられる。このように広げられたタラップ３の下端３２ｂが、図４，５に示すように支持台５の床面５ａに係止され、このタラップ３に備えられている係止具３１ｂが敷居４ａの溝に係止されるようにして、タラップ３が乗場側に立て掛けられる。この状態において、乗場床４にいる作業員は、タラップ３を介してピット１のピット床１ａまで降りることができる。例えばピット床１ａにおいて、昇降路内の機器の点検とか、乗かご６の下部に備えられる機器６ａの点検などを行なうことができる。
【００２６】
なお仮に、何らかの理由により乗かご６が図２に示すように落下して、図３に示すようにその乗かご６が緩衝器７に衝突して、この緩衝器７が全圧縮した場合でも、乗かご６の下部に備えられている機器６ａが支持台５に干渉することはなく、機器６ａあるいは支持台５の損傷を防ぐことができる。
【００２７】
このように構成した本実施形態は、どのようなピット１の深さであっても、乗場床４から一定の深さの昇降路内の位置に支持台５を設けることにより、乗場床４と支持台５との間において折畳まれるタラップ３の重量を一定の重量に設定することが可能となる。すなわち、本実施形態の昇降路を含む各昇降路におけるピット１の深さの如何に拘わらず、取扱いが容易な一定重量となるタラップ３を収納可能な領域を形成するように、支持台５を乗場床４から一定の深さの昇降路内の位置に設置することにより、タラップ３は取扱いが容易な軽さとなり、乗場床４から身を乗り出すようにして折畳まれたタラップ３を簡単に引き上げ、広げて、下端３２ｂを支持台５に係止させ、乗場側に立て掛ける作業、及び広げられたタラップ３を折畳んで、乗場床４と支持台５との間の領域に保持させる作業を容易に行なうことができる。
【００２８】
このように本実施形態は、ピット１の深さの如何に拘わらず、タラップ３の重量を取り扱いが容易な重量に設定することができるので、昇降路の長さが比較的長い場合でも、タラップ３を広げてピット１内に入る作業、及びピット１から出てタラップ３を折畳む作業が、昇降路の長さが比較的短い場合におけるのと同様に簡単になり、タラップ３を取扱う作業時の優れた作業性と作業の安全性を確保できる。
【００２９】
また、本実施形態の昇降路を含む各昇降路のピット１の深さの如何に拘わらず、タラップ３の全長を一定の長さに設定してあるので、タラップ３の規格の統一を実現でき、これによってタラップ３の製作費を安くすることができる。
【００３０】
なお、昇降路が長く、これに伴ってピット１の深さが深くなり、支持台５とピット１のピット床１ａとの距離が大きくなって、支持台５からピット床１ａに容易には降りられないような状況が形成される場合には、例えばあらかじめ支持台５とピット床１ａとの距離に相応する長さの補助タラップ３を、支持台５に係着させた構成にすればよい。この補助タラップを介してピット床１ａに容易に降りることができる。
【図面の簡単な説明】
【００３１】
【図１】本発明に係るエレベータのピット入出装置の一実施形態を示す図で、タラップが折畳まれた状態を示す側面図である。
【図２】本実施形態が配置された昇降路のピットに、乗かごが下降してきた状態を示す側面図である。
【図３】本実施形態が配置された昇降路のピットに備えられた緩衝器に乗かごが衝突し、緩衝器が全圧縮したときの状態を示す側面図である。
【図４】本発明の一実施形態を示す図で、タラップが広げられ、立て掛けられた状態を示す側面図である。
【図５】図４の平面図である。
【符号の説明】
【００３２】
１    ピット
１ａ  ピット床
１ｂ  壁
２    保持具
３    タラップ
３ａ  分割部
３ｂ  分割部
４    乗場床
４ａ  敷居
５    支持台
５ａ  床面
６    乗かご
７    緩衝器
３１ｂ  係止具
３２ｂ  下端
【図１】
2006082935.tif 000003
【図２】
2006082935.tif 000004
【図３】
2006082935.tif 000005
【図４】
2006082935.tif 000006
【図５】
2006082935.tif 000007